(57)【要約】      （修正有）【課題】野菜，魚，肉などを包丁で切断する際に、誤って指先を切らないようにするための、調理補助具を提供する。【解決手段】防護板３の締着片５を簀の子部２の棒体に締着することにより、簀の子部２に防護板３を取り付ける。そして、防護板３の本体部６に隣接している指先防護片４を直角に切り起こして、調理補助具１を構成する。表面が滑り易い調理物（例、大根，人参等）を包丁で切る場合に、本体部６が調理物に接するように調理補助具１を被せ、包丁を指先防護片４の外側に位置するように使用して調理物を切る。指先防護片４で指先が保護されるので、調理に慣れていない老人や子供であっても、誤って指を切ったりすることがなくなる。【選択図】図１
0003113138.tif 000002
【実用新案登録請求の範囲】
【請求項１】
細い棒体を糸で編んで全体としては長方形に構成し、棒体の端部がある側の辺の内、一方の辺の略中央付近の棒体の端部を突出させて形成した簀の子突出部を有する簀の子部と、
滑らかな表面を有する金属板で作られ、長方形状の本体部と、該本体部の長辺の各端部に同じ側に折り曲げて切り起こされた締着片と、該本体部の一方の短辺に前記締着片と同じ側に折り曲げて切り起こされた指先防護片とを有する防護板と
を具え、
該防護板を、その指先防護片が前記簀の子突出部に当たるようにしつつ、前記締着片を簀の子部の棒体に締着することにより、前記簀の子部に取り付けて構成したことを特徴とする調理補助具。
【考案の詳細な説明】
【技術分野】
【０００１】
本考案は、野菜，魚，肉などを包丁で切断する際に、誤って指先を切らないようにするための、調理補助具に関するものである。
【背景技術】
【０００２】
胡瓜，大根，人参等の調理物を包丁で調理している時、ときどき手元が狂って指先を切ってしまうことがある。特に、普段あまりやり慣れていない人とか子供等が、たまに調理しようとすると、調理物の扱い方や包丁さばきが悪かったり、力の入れ方が悪かったりして、指先を切ってしまい易い。
【０００３】
そこで、包丁で調理する際に指先を切らないようにするため、下記の特許文献に記載されているような保護具が提案されている。
この保護具は、包丁を持たない方の手の指に嵌めて使うようにした道具である。その構造は、板状となっている保護板の上に、中指を当てる部分である「中指当て」と、人指し指を当てる部分である「人指し指当て」とを、固着した構造とされている。
【特許文献１】特開平０６−０６４４８１号公報
【考案の開示】
【考案が解決しようとする課題】
【０００４】
表面がつるりとしている大根等は、ただ手で押さえていても滑り易いが、いざ包丁で切ろうとすると、動かないようしっかり押さえようと力を入れるので、余計に滑り易くなり、そのため、指先を包丁で切ってしまうことがあった。
なお、前記した特許文献に記されている保護具では、中指や人指し指のそれぞれに嵌めて使うので、いちいち嵌めたり外したりするのが鬱陶しいし、嵌めた状態では指先が不自由になり、作業がやり辛かった。
本考案は、このような問題点を解決することを課題とするものである。
【課題を解決するための手段】
【０００５】
前記課題を解決するため、本考案では、新規なる調理補助具を提供することとした。その構成は、細い棒体を糸で編んで全体としては長方形に構成し、棒体の端部がある側の辺の内、一方の辺の略中央付近の棒体の端部を突出させて形成した簀の子突出部を有する簀の子部と、滑らかな表面を有する金属板で作られ、長方形状の本体部と、該本体部の長辺の各端部に同じ側に折り曲げて切り起こされた締着片と、該本体部の一方の短辺に前記締着片と同じ側に折り曲げて切り起こされた指先防護片とを有する防護板とを具え、該防護板を、その指先防護片が前記簀の子突出部に当たるようにしつつ、前記締着片を簀の子部の棒体に締着することにより、前記簀の子部に取り付けるという構成のものである。
【考案の効果】
【０００６】
本考案の調理補助具を用いれば、表面が滑り易い調理物（例、大根，人参等）を包丁で切る場合に、調理に慣れていない老人や子供であっても、誤って指を切ったりすることがなくなる。即ち、表面が滑り易い調理物に本考案の調理補助具を被せ、その上から手で押さえつつ、調理補助具の指先防護片に包丁を当てがいつつ切るわけであるが、被せる部分は簀の子部となっているので、調理物は押さえ易く且つ手は滑りにくい。そして、調理物を押さえている指先は、指先防護片により包丁が指先の方に来ないように守られているので、誤って包丁で切る恐れは殆どない。
【考案を実施するための最良の形態】
【０００７】
以下、本考案の実施形態を図面に基づいて詳細に説明する。
図１は、本考案の調理補助具を示す図である。図１において、１は調理補助具、２は簀の子部、３は防護板、４は指先防護片、５は締着片、６は本体部である。図１（１）は表側の斜視図であり、図１（２）は裏側（つまり裏返した状態）の斜視図である。
簀の子部２は、細い棒体（例、竹ひご）を丈夫な糸で編んで作られている。本考案の調理補助具１は、その簀の子部２に、滑らかな表面を有する金属板で出来た防護板３を、取り付けて構成される。
【０００８】
防護板３の取り付け箇所は、簀の子部２の棒体の端部がある側の内、一方の端部側の略中央とする。図１（１）に示されているように、防護板３の一部を構成する指先防護片４は、簀の子部２の面に対して直角に切り起こされている。一方、やはり防護板３の一部を構成する本体部６は、図１（２）に示されているように、簀の子部２の裏側表面の一部を覆うように取り付けられている。
締着片５は、防護板３を簀の子部２に取り付けるための片であり、編まれている棒体の隙間から挿入され、反対側へ出た部分が折り曲げられて、棒体に締着される。
【０００９】
図２は、本考案の調理補助具の一部を構成する防護板を示す図である。符号は図１のものに対応し、７は折曲部である。防護板３は、滑らかな表面を有する薄い金属板で作られる。図２（１）は、板状のままで打ち抜かれた段階における展開図であり、点線で示した部分が折曲部７である。図２（２）は、その折曲部７のところで直角に折り曲げて、簀の子部２に取り付ける直前の状態にした防護板３を示している（斜視図）。
【００１０】
図３は、本考案の調理補助具の作成状況を示す図である。符号は図１，図２のものに対応し、２Ｔは簀の子突出部である。簀の子突出部２Ｔは、簀の子部２を構成する棒体の内、防護板３を取り付けるために、端部を少し突出させた部分のことである。これは、棒体の端部がある側の辺の内、一方の辺の略中央付近の棒体の端部を突出させて形成されている。
調理補助具１を作成するには、簀の子部２に対して防護板３を矢印Ａのように近づけて当てがい、防護板３の指先防護片４の根元付近にある締着片５が、簀の子突出部２Ｔの脇に来るようにする。言い換えれば、簀の子突出部２Ｔの先端部に指先防護片４が当たるように位置させる。
【００１１】
また、指先防護片４から離れたところにある締着片５は、棒体の隙間から差し入れ、その先端が上に出るようにする。そして、それぞれの締着片５を内側に折り曲げ、棒体に締着する。これで調理補助具１は完成される。
簀の子突出部２Ｔを設け、その端部に指先防護片４が当たるようにして防護板３を取り付ける理由は、次の通りである。本考案の調理補助具では、包丁を指先防護片４に当てて調理物を切るようにするわけであるが、その時、包丁の刃が簀の子部２の他の棒体の端部に当たらないようにするためである。他の棒体の端部より少し突出したところに指先防護片４が取り付けてあれば、少々包丁の向きが変わっても、他の棒体の端部に当たることがない。
【００１２】
図４は、本考案の調理補助具の使用状況を示す図である。符号は図１，図２のものに対応し、８はまな板、９は大根、１０は手、１１は包丁である。調理物として大根９を例にとり、使用状況を示している。本考案の調理補助具１は、次のように使用する。
（１）まず、調理物である大根９をまな板８の上に載せる。
（２）次に、調理補助具１を大根９の上に被せる。この時、指先防護片４が、大根９の真上になるように被せる。
（３）調理補助具１の上から手１０で押さえ、大根９が動かないようにする。
（４）大根９を押さえつつ、包丁１１を指先防護片４の外側（簀の子部２側でない側）に位置させながら切る。
【００１３】
このようにして使うと、大根９には広い範囲にわたって簀の子部２が被されているので、極めて押さえ易いし、手１０が触っているのは簀の子部２であるから、手１０が滑ることはない。
そして、大根９を切り進んで、調理補助具１を矢印Ｂの方向へ後退させる場合、押さえている手１０の下で大根９に接しているのは、滑らかな表面で長手方向に長い本体部６であるので、容易に大根９の長手方向に滑らせて後退させることが出来る。
【図面の簡単な説明】
【００１４】
【図１】本考案の調理補助具を示す図
【図２】本考案の調理補助具の一部を構成する防護板を示す図
【図３】本考案の調理補助具の作成状況を示す図
【図４】本考案の調理補助具の使用状況を示す図
【符号の説明】
【００１５】
１…調理補助具、２…簀の子部、３…防護板、４…指先防護片、５…締着片、６…本体部、７…折曲部、８…まな板、９…大根、１０…手、１１…包丁
【図１】
0003113138.tif 000003
【図２】
0003113138.tif 000004
【図３】
0003113138.tif 000005
【図４】
0003113138.tif 000006